(57)【要約】 【課題】本発明は、モータファンが抱えるバランス修正に際しての作業性と修正精度の向上の両立と共に、モータファン自体の自己冷却効果改善を目的とする。【解決手段】本発明に成るモータファンは、回転子ハブが、回転子挿入側開放端に穿設された第１のバランス修正手段としての錘嵌着・保持用凹陥部と共に、他端底面に、回転軸中心と同芯を成す少なくも１列の円弧状に等配された複数の貫通孔を形成し、該貫通孔を、回転子ハブ内部の通気を兼ねた第２のバランス修正手段として錘嵌着・保持に利用し、上述構成での２面バランス修正を行うものである。【選択図】        図２
2006322325.tif 000002
【特許請求の範囲】
【請求項１】
回転子ハブの内部に配置される駆動用モータと、前記回転子ハブの外周面に複数の羽根が植設された羽根車を備えるモータファンにおいて、前記回転子ハブが、前記モータの回転子挿入側開放端に穿設された第１のバランス修正手段としての錘嵌着・保持用凹陥部と共に、他端底面に、回転子ハブ内部との通気を兼ねた第２のバランス修正手段としての複数の錘嵌着・保持用貫通孔を備えていること、を特徴とするモータファン。
【請求項２】
前記回転子ハブ開放端に穿設される凹陥部は、回転子ハブ内周側に開となるように形成されていること、を特徴とする請求項１に記載のモータファン。
【請求項３】
前記回転子ハブ開放端に穿設される凹陥部は、周方向に等配された複数の凹陥部として形成されていること、を特徴とする請求項１又は２に記載のモータファン。
【請求項４】
前記回転子ハブ底面に形成された貫通孔は、回転軸中心と同芯を成す円弧状に等配された複数の小孔として形成されていること、を特徴とする請求項１から３いずれかに記載のモータファン。
【請求項５】
前記回転子ハブ底面に形成された貫通孔は、いずれも回転軸中心と同芯を成す複数の円弧列として形成されていること、を特徴とする請求項１から３いずれかに記載のモータファン。
【請求項６】
前記回転子ハブの内面に配設され、回転子の主体を成す永久磁石を保持するカップ状回転子ヨークが、その外面と前記回転子ハブ内面との間に、前記貫通孔に連通する隙間を有するように形成されていること、を特徴とする請求項１から５いずれかに記載のモータファン。
【請求項７】
前記回転子ヨークの底部に、前記回転子ハブの貫通孔と対向する小孔を備えること、を特徴とする請求項１から６いずれかに記載のモータファン。
【請求項８】
前記回転子ヨークの底部に、前記回転子ハブの貫通孔と偏倚した部位の小孔を備えること、を特徴とする請求項６に記載のモータファン。
【請求項９】
回転子ハブの外周面に複数の羽根が植設され、該回転子ハブに対し両面からのバランス修正を行うように構成されたモータファンのバランス修正方法において、アンバランスを計測する工程と、該測定結果に対応するバランス修正用の錘を選択・抽出する工程と、該選択した錘を所定凹陥部に嵌着挿入する工程と、該嵌着挿入された錘を、回転子ハブ両面に形成された任意部位の凹陥部に固着保持する工程とを有すること、を特徴とする請求項１から８に記載のモータファンに係るバランス修正方法。
【発明の詳細な説明】
【技術分野】
【０００１】
本発明は、モータファン、特に羽根車のバランス修正が高度且つ容易で、しかも自己冷却性能の高いモータファンと、そのバランス修正方法に関する。
【背景技術】
【０００２】
【特許文献１】特開２０００−３５２３９７号公報
【特許文献２】特開２００２−２４２８８７号公報
【０００３】
電子機器の発達につれて機器自体の小型化・高性能化や環境対策としての静穏化も進む中、発熱部品の冷却用モータファンへのニーズも高まるばかりで、モータファンとしても性能を維持しての小型化・静穏化への期待が止むことの無いものであることは論を待たない。
【０００４】
中断することの無い改善課題に対応すべく、静穏化に関わる動作音を低減するための回転部バランス修正や小型高性能化に関わるモータファン自体の内部冷却改善等の策は、日々積み重ねられ、数多の提案が見られる。
【０００５】
上記特許文献１は静穏化に関わるバランス修正の改善、特許文献２はモータファン自体の自己発熱に対する冷却効果の改善の例であるが、その詳細は夫々の公報に譲り省略する。
【発明の開示】
【発明が解決しようとする課題】
【０００６】
上述のような従来技術に成るモータファンが抱える解決すべき主要課題として、バランス修正に際しての作業性と修正精度の向上の両立と共に、モータファン自体の自己冷却効果改善が挙げられる。
【課題を解決するための手段】
【０００７】
本発明に成るモータファンは、その外周面に複数の羽根が植設された羽根車を備える回転子ハブが、前記モータの回転子挿入側開放端に穿設された第１のバランス修正手段としての錘嵌着・保持用凹陥部と共に、他端底面に、回転子ハブ内部との通気を兼ねた第２のバランス修正手段としての複数の錘嵌着・保持用貫通孔を備え、また、
【０００８】
前記回転子ハブ開放端に穿設される凹陥部は、回転子ハブ内周側に開となるように形成され、また、
【０００９】
前記回転子ハブ開放端に穿設される凹陥部は、周方向に等配された複数の凹陥部として形成され、さらにまた、
【００１０】
前記回転子ハブ底面に形成された貫通孔は、回転軸中心と同芯を成す円弧状に等配された複数の小孔として形成され、または、
【００１１】
前記回転子ハブ底面に形成された貫通孔は、いずれも回転軸中心と同芯を成す複数の円弧列として形成され、また、
【００１２】
前記回転子ハブの内面に配設され、回転子の主体を成す永久磁石を保持するカップ状回転子ヨークが、その外面と前記回転子ハブ内面との間に、前記貫通孔に連通する隙間を有し、また、
【００１３】
前記回転子ヨークの底部に、前記回転子ハブの貫通孔と対向する小孔を備え、または、
【００１４】
前記回転子ヨークの底部に、前記回転子ハブの貫通孔と偏倚した部位の小孔を備えるように構成され、
【００１５】
上述モータファンのバランス修正方法は、アンバランスを計測する工程と、該測定結果に対応するバランス修正用の錘を選択・抽出する工程と、該選択した錘を所定の凹陥部に嵌着挿入する工程と、該嵌着挿入された錘を、回転子ハブ両面に形成された任意部位に固着保持する工程とを有する。
【発明の効果】
【００１６】
本発明に成るバランス修正のための構成・手段は、前後両面での高精度修正を可能として、静穏化、振動抑制の更なるレベルアップを実現可能とすると共に、回転子ハブ内部との通気確保での自己冷却の改善を実現している。
【発明を実施するための最良の形態】
【００１７】
以下図面により本発明の実施例を説明する。
【００１８】
図１は、本願発明技術に成るモータファン０の一例の半断面図（ａ）と風の流れ９を示す部分拡大図（ｂ）で、回転子ヨーク４に通風のための小孔が設けられていない構成のもので、
【００１９】
図２は、同じく本願発明に成るモータファン０の別の例の半断面図（ａ）と風の流れ９を示す部分拡大図（ｂ）で、回転子ヨーク４にも通風のため、回転子ハブ３の貫通孔３−１と偏倚する小孔４−１が設けられている構成を示している。
【実施例１】
【００２０】
図３は、上述図１もしくは図２に示す本願発明に係る回転部：羽根車１の一実施例の、正面図、図４はその断面図、図５はその背面図で、夫々、請求項４、７および２・３・４に対応するものである。
【００２１】
当該モータファン０を駆動するモータとその制御回路を内包する回転子ヨーク４の底部にも、円弧状に並ぶ小孔４−１が形成されている。      
【００２２】
上述貫通孔３−１は、回転子ハブ３と共に該回転子ハブ３の内面に近接する形で配置されている回転子永久磁石５を保持する回転子ヨーク４との隙間８や、当該回転子ヨーク４の底部に形成された小孔４−１とも連通して内部に開口し、回転子ハブ３でほぼ全面が覆われるように配置されているモータやその制御回路の自己発熱を外部に放散し易いようにしている。
【００２３】
本願では、該貫通孔３−１は、上述の通り、回転子ヨーク４との隙間８を通気路として、モータやその制御回路が配置される内部空間へ直接通気せずに当該回転子ヨーク４の外面での通気により間接的に冷却するか、回転子ヨーク４の小孔４−１に連通してモータやその制御回路が配置される内部へも通気する通気孔として機能すると共に、その一部が両面バランス修正の片端側での、錘７の嵌着・保持手段として利用されている。
【００２４】
上述回転子ヨーク４に形成される小孔４−１は、当該モータファン０が通常の実装環境であれば、モータやその制御回路が配置される内部空間への通気を容易とするため、回転子ハブ３の貫通孔３−１と対向するように配置されるが、塵埃等の多い環境下の場合は、直接的に前記内部空間に外気が流入しないように、回転子ハブ３の貫通孔３−１と回転子ヨーク４の小孔４−１との配置部位を、偏倚させることも有効である。
【００２５】
図４は上述図３の例の断面図で、回転子ハブの開口端縁に、内周側に開の形での凹陥部３−２が形成されており、該凹陥部３−２が、両面バランス修正の他端側での、錘７の嵌着・保持手段として利用されるもので、該構成自体は、従来汎用技術であることを否定しない。
【００２６】
図５は、上述図３に対応する背面図で、上述回転子ヨーク４の内面側を見るものである。
【００２７】
図６及び図７は上述図３及び図５に対応する別の例を示す正面図と背面図で、上述第一の例が一列の円弧状として貫通孔３−１を形成している構成であるに対し、同芯を成す２つの円弧列として形成されたものである。言うまでも無く、該貫通孔３−１の配置・構成は２つの円弧列に限定されるものではない。
【産業上の利用可能性】
【００２８】
本発明に成るモータファンとそのバランス修正方法は、モータファンとして高精度なバランス修正と共に、小型化・高性能化のニーズに対応できるモータファンを実現する手段として広く利用可能である。
【図面の簡単な説明】
【００２９】
【図１】本願発明に成るモータファンの例の半断面図（ａ）と、風の流れを示す要部拡大図（ｂ）である。
【図２】本願発明に成るモータファンの別の例の半断面図（ａ）と、風の流れを示す要部拡大図（ｂ）である。
【図３】図１、図２に対応する回転部の例の正面図である。
【図４】図３の例の断面図である。
【図５】図３の例の背面図である。
【図６】本発明に成るモータファンの別の例の正面図である。
【図７】図６の例の背面図である。
【符号の説明】
【００３０】
０        モータファン
１        羽根車
２        ブレード
３        回転子ハブ
３−１    回転子ハブ底面の貫通孔
３−２    回転子ハブ開口端の凹陥部
４        回転子ヨーク
４−１    回転子ヨーク底面の小孔  
５        永久磁石
６        軸
７        バランス修正用の錘
８        回転子ハブ内面と回転子ヨーク外面との隙間
９        風の流れ
【図１】
2006322325.tif 000003
【図２】
2006322325.tif 000004
【図３】
2006322325.tif 000005
【図４】
2006322325.tif 000006
【図５】
2006322325.tif 000007
【図６】
2006322325.tif 000008
【図７】
2006322325.tif 000009